(57)【要約】【課題】  複数種の画像出力処理をネットワークを介することなく、容易に行うことができる画像形成装置を提供する。【解決手段】  複数種の画像出力機能を備えた画像形成装置１であって、画像出力機能に応じた画像データに対する設定情報が書き込まれた設定ファイルが格納された記憶媒体１３が、着脱自在に装着される装着手段２と、装着手段２に記憶媒体１３が装着されたときに、記憶媒体１３に格納された設定ファイルが複数種の画像出力機能のうちのいずれの種類の画像出力機能に対応する設定ファイルかを判別する判別手段３と、その画像出力機能の種類が判別された設定ファイルから設定情報を取得する設定情報取得手段４と、この取得された設定情報を反映した画像データを出力する画像データ出力手段５とを備えた構成としてある。【選択図】  図１
2007166480.tif 000002
【特許請求の範囲】
【請求項１】
複数種の画像出力機能を備えた画像形成装置であって、
少なくとも前記画像出力機能に応じた画像データに対する設定情報が書き込まれた設定ファイルが格納された記憶媒体が、着脱自在に装着される装着手段と、
該装着手段に前記記憶媒体が装着されたときに、該記憶媒体に格納された前記設定ファイルが前記複数種の画像出力機能のうちのいずれの種類の画像出力機能に対応する設定ファイルかを判別する判別手段と、
該判別手段によって画像出力機能の種類が判別された前記設定ファイルから前記設定情報を取得する設定情報取得手段と、
該設定情報取得手段によって取得された前記設定情報に対応する画像データを該設定情報を反映して出力する画像データ出力手段とを備えた
ことを特徴とする画像形成装置。
【請求項２】
前記画像出力機能がプリンタ機能であり、前記画像データ出力手段は、前記設定情報取得手段によって取得された前記設定情報に対応して予め前記記憶媒体に格納された画像ファイルを取得して、該画像ファイルの画像データを印刷手段に出力する
ことを特徴とする請求項１に記載した画像形成装置。
【請求項３】
前記画像出力機能がファクス機能であり、前記画像データ出力手段は、前記設定情報取得手段によって取得された前記設定情報に対応して予め前記記憶媒体に格納された画像ファイルを取得して、該画像ファイルの画像データを送信手段に出力する
ことを特徴とする請求項１又は２に記載した画像形成装置。
【請求項４】
前記設定情報は、前記画像データ出力手段が前記画像データを出力した後、前記設定ファイル及び前記画像ファイルを消去する消去設定を含み、該消去設定を含む場合に、前記設定ファイル及び前記画像ファイルを消去するファイル消去手段を備えた
ことを特徴とする２又は３に記載した画像形成装置。
【請求項５】
前記画像出力機能がコピー機能であり、前記画像データ出力手段は、前記設定情報取得手段によって取得された前記設定情報に応じたコピー画像データを印刷手段に出力する
ことを特徴とする請求項１〜４のいずれか一項に記載した画像形成装置。
【請求項６】
前記画像データ出力手段は、前記記憶媒体を前記装着手段から取り外したときに、前記画像データを出力する
ことを特徴とする請求項１〜５のいずれか一項に記載した画像形成装置。
【請求項７】
前記画像出力機能がスキャナ機能であり、前記画像データ出力手段は、前記設定情報取得手段によって取得された前記設定情報に応じたスキャン画像データを読み込んで、該画像データを送信手段に出力するか、又は前記記憶媒体に出力して保存する
ことを特徴とする請求項１〜６のいずれか一項に記載した画像形成装置。
【請求項８】
前記設定情報は、前記画像データ出力手段が前記画像データを出力した後、前記設定ファイルを消去する消去設定を含み、該消去設定を含む場合に、前記設定ファイルを消去するファイル消去手段を備えた
ことを特徴とする請求項７に記載した画像形成装置。
【請求項９】
少なくとも画像出力機能に応じた画像データに対する設定情報が書き込まれた設定ファイルを格納する記憶媒体が着脱自在に装着される装着手段を備えた画像形成装置に、複数種の画像出力処理を実行させる画像出力処理プログラムであって、
前記装着手段に前記記憶媒体が装着されたときに、該記憶媒体に格納された前記設定ファイルが前記複数種の画像出力機能のうちのいずれの種類の画像出力機能に対応する設定ファイルかを判別する判別処理と、
該判別処理によって画像出力機能の種類が判別された前記設定ファイルから前記設定情報を取得する設定情報取得処理と、
該設定情報取得処理によって取得された前記設定情報に対応する画像データを該設定情報を反映して出力する画像データ出力処理とを
前記画像形成装置に実行させる
ことを特徴とする画像出力処理プログラム。
【発明の詳細な説明】
【技術分野】
【０００１】
本発明は、例えば、プリンタ機能、ファクス機能、コピー機能或いはスキャナ機能等を備えた画像形成装置及び画像出力処理プログラムに関する。
【背景技術】
【０００２】
従来、プリンタ機能やスキャナ機能等の複数の画像出力機能を備えた画像形成装置においては、プリンタ機能については、ユーザがパーソナルコンピュータ等の端末で作成した画像データをプリンタドライバ上で所定の設定を行った後に出力された印刷情報を基に印刷処理を行っている。また、スキャナ機能については、原稿等を原稿台にセットして所定の設定を行った後に原稿の読み取り処理を行い、読み込んだ画像データをユーザ端末に出力するか、メール送信するなど行っている（例えば、特許文献１参照。）。
【特許文献１】特開２００４−２４８２２７号公報
【発明の開示】
【発明が解決しようとする課題】
【０００３】
上記特許文献１においては、オフィス等でユーザ端末と画像形成装置とがネットワークで接続されている場合を前提としており、個人のユーザ等で画像形成装置を所有していない場合には、コンビニ等に設置された画像形成装置を利用することになる。
この場合、ユーザはコンビニ等に持参した原稿を画像形成装置にセットし、操作パネル上で各種設定操作を行ったのちに、画像の出力処理を行うことになり、操作に不慣れなユーザにとって面倒である。
【０００４】
本発明は、このような不都合を解消するためになされたものであり、複数種の画像出力処理をネットワークを介することなく、容易に行うことができる画像形成装置及び画像出力処理プログラムの提供を目的とする。
【課題を解決するための手段】
【０００５】
上記目的を達成するために、請求項１に係る発明は、複数種の画像出力機能を備えた画像形成装置であって、少なくとも前記画像出力機能に応じた画像データに対する設定情報が書き込まれた設定ファイルが格納された記憶媒体が、着脱自在に装着される装着手段と、該装着手段に前記記憶媒体が装着されたときに、該記憶媒体に格納された前記設定ファイルが前記複数種の画像出力機能のうちのいずれの種類の画像出力機能に対応する設定ファイルかを判別する判別手段と、該判別手段によって画像出力機能の種類が判別された前記設定ファイルから前記設定情報を取得する設定情報取得手段と、該設定情報取得手段によって取得された前記設定情報に対応する画像データを該設定情報を反映して出力する画像データ出力手段とを備えた構成としてある。
【０００６】
上記構成によれば、設定ファイルが格納された記憶媒体を画像形成装置の装着手段に装着するだけで、複数種の画像出力機能ごとに設定ファイルに書き込まれた設定情報を反映した画像データを出力することができるので、複数種の画像出力処理をネットワークを介することなく、容易に行うことができる。
【０００７】
請求項２に係る発明は、請求項１において、前記画像出力機能がプリンタ機能であり、前記画像データ出力手段は、前記設定情報取得手段によって取得された前記設定情報に対応して予め前記記憶媒体に格納された画像ファイルを取得して、該画像ファイルの画像データを印刷手段に出力する構成としてある。
【０００８】
上記構成によれば、設定ファイル及び画像ファイルが格納された記憶媒体を画像形成装置の装着手段に装着するだけで、設定ファイルの設定情報を反映した画像ファイルの画像データを印刷手段に出力することができるので、印刷出力処理をネットワークを介することなく、容易に行うことができる。
【０００９】
請求項３に係る発明は、請求項１又は２において、前記画像出力機能がファクス機能であり、前記画像データ出力手段は、前記設定情報取得手段によって取得された前記設定情報に対応して予め前記記憶媒体に格納された画像ファイルを取得して、該画像ファイルの画像データを送信手段に出力する構成としてある。
上記構成によれば、設定ファイル及び画像ファイルが格納された記憶媒体を画像形成装置の装着手段に装着するだけで、設定ファイルの設定情報を反映した画像ファイルの画像データを送信手段に出力することができるので、ファクス送信処理をネットワークを介することなく、容易に行うことができる。
【００１０】
請求項４に係る発明は、請求項２又は３において、前記設定情報は、前記画像データ出力手段が前記画像データを出力した後、前記設定ファイル及び前記画像ファイルを消去する消去設定を含み、該消去設定を含む場合に、前記設定ファイル及び前記画像ファイルを消去するファイル消去手段を備えた構成としてある。
上記構成によれば、画像データの出力後に設定ファイル及び画像ファイルが消去されるため、セキュリティを強化することができる。
【００１１】
請求項５に係る発明は、請求項１〜４のいずれか一項において、前記画像出力機能がコピー機能であり、前記画像データ出力手段は、前記設定情報取得手段によって取得された前記設定情報に応じたコピー画像データを印刷手段に出力する構成としてある。
上記構成によれば、設定ファイルが格納された記憶媒体を画像形成装置の装着手段に装着するだけで、設定ファイルの設定情報を反映したコピー画像データを印刷手段に出力することができるので、コピー処理をネットワークを介することなく、容易に行うことができる。
【００１２】
請求項６に係る発明は、請求項１〜５のいずれか一項において、前記画像データ出力手段は、前記記憶媒体を前記装着手段から取り外したときに、前記画像データを出力する構成としてある。
上記構成によれば、ユーザが装着手段に装着した記憶媒体の取り外しを忘れるのを防止することができる。
【００１３】
請求項７に係る発明は、請求項１〜５のいずれか一項において、前記画像出力機能がスキャナ機能であり、前記画像データ出力手段は、前記設定情報取得手段によって取得された前記設定情報に応じたスキャン画像データを読み込んで、該画像データを送信手段に出力するか、又は前記記憶媒体に出力して保存する構成としてある。
上記構成によれば、設定ファイルが格納された記憶媒体を画像形成装置の装着手段に装着するだけで、設定ファイルの設定情報を反映したスキャン画像データを送信手段に出力するか、又は記憶媒体に出力して保存することができるので、スキャナ処理をネットワークを介することなく、容易に行うことができる。
【００１４】
請求項８に係る発明は、請求項７において、前記設定情報は、前記画像データ出力手段が前記画像データを出力した後、前記設定ファイルを消去する消去設定を含み、該消去設定を含む場合に、前記設定ファイルを消去するファイル消去手段を備えた構成としてある。
上記構成によれば、スキャン画像データの出力後に設定ファイルが消去されるため、セキュリティを強化することができる。
【００１５】
請求項９に係る発明は、少なくとも画像出力機能に応じた画像データに対する設定情報が書き込まれた設定ファイルを格納する記憶媒体が着脱自在に装着される装着手段を備えた画像形成装置に、複数種の画像出力処理を実行させる画像出力処理プログラムであって、前記装着手段に前記記憶媒体が装着されたときに、該記憶媒体に格納された前記設定ファイルが前記複数種の画像出力機能のうちのいずれの種類の画像出力機能に対応する設定ファイルかを判別する判別処理と、該判別処理によって画像出力機能の種類が判別された前記設定ファイルから前記設定情報を取得する設定情報取得処理と、該設定情報取得処理によって取得された前記設定情報に対応する画像データを該設定情報を反映して出力する画像データ出力処理とを前記画像形成装置に実行させる構成としてある。
【発明の効果】
【００１６】
本発明によれば、複数種の画像出力処理をネットワークを介することなく、容易に行うことができるという効果が得られる。
【発明を実施するための最良の形態】
【００１７】
以下、本発明の実施の形態の一例を図を参照して説明する。図１は本発明の実施の形態の一例である画像形成装置の構成を示すブロック図である。
【００１８】
本発明の実施の形態の一例である画像形成装置１は、プリンタ機能、ファクス機能、スキャナ機能及びコピー機能等の複数種の画像出力機能を有しており、図１に示すように、装着手段２、判別手段３、設定情報取得手段４、画像データ出力手段５、ファイル消去手段６、表示制御手段７、表示手段８、原稿読込手段９、印刷手段１０、送信手段１１及び記憶手段１２を備えている。これらの手段の各処理は、記憶手段１２（ＲＯＭやハードディスク等）に記憶された画像出力処理プログラムがＲＡＭにロードされて、ＣＰＵにより実行される。
【００１９】
装着手段２は、ＵＳＢメモリやＣＦ（コンパクトフラッシュ（登録商標））カード等の記憶媒体１３が着脱自在に装着され、該装着時にデータの読み込み／書き込みが可能なリーダ／ライタ機能を有している。
ここで、記憶媒体１３には、ユーザが利用するプリンタ機能、ファクス機能、スキャナ機能及びコピー機能ごとに、出力画像データに対する設定情報が書き込まれた設定ファイルが格納され、また、ユーザがプリンタ機能及びファクス機能を利用する場合については、設定情報に対応した出力用の画像ファイルが格納される。これらの設定情報及び出力用画像ファイルは、ユーザが所有するＰＣ等の端末上で、例えば、ネットワーク等を介して取得した登録用プログラムを用いて記憶媒体１３に格納される。
【００２０】
プリンタ機能、ファクス機能、スキャナ機能及びコピー機能ごとの記憶媒体１２へのファイルの格納例を示す。
［プリンタ機能］
(１)設定ファイル
（ａ）設定情報
印刷方式（ＮＵＰ、出力サイズ、給紙先等）
画像出力後の画像ファイル及び設定ファイルの消去設定等）
（ｂ）画像ファイル（１ファイル以上）
（ｃ）ファイル名。
【００２１】
［ファクス機能］
（１）設定ファイル
（ａ）設定情報
（ｉ）送信設定
（ア）原稿場所（記憶媒体１３，ＤＰ／原稿台／自動）
（イ）宛先（個人，グループ）
（ウ）送信方式（ポーリング等）
（エ）画像出力後の設定ファイルの消去設定（原稿場所が記憶媒体１３の場合は、設定ファイル及び画像ファイルの消去設定）
（オ）その他（件名、メモ等）
（ii）原稿場所が記憶媒体１３の場合は、画像ファイル（１ファイル以上）
【００２２】
［スキャナ機能］
（１）設定ファイル
（ａ）設定情報
（ｉ）スキャン設定
（ア）読込データ出力先（ＰＣ，送信手段１１、記憶媒体１３等）
（イ）原稿場所（自動／ＤＰ／原稿台）
（ウ）読込方式（倍率、原稿サイズ、出力サイズ、白黒／カラー、ファイル形式、解像度、連続読込等）
（エ）画像出力後の設定ファイルの消去設定
（オ）その他（ファイル名等）
【００２３】
［コピー機能］
（１）設定ファイル
（ａ）設定情報
（ｉ）印刷設定
（ア）印刷部数
（イ）原稿場所（自動／ＤＰ／原稿台）
（ウ）印刷方式（ＮＵＰ，倍率，原稿サイズ，出力サイズ，給紙先，ソート，ステイプル，連続読込等）
（エ）画像出力後の設定ファイルの消去設定等
【００２４】
判別手段３は、装着手段２に記憶媒体１３が装着されたときに、該記憶媒体１３に設定ファイルが格納されているか否かを判断するとともに、格納されていると判断した場合に、設定ファイルがプリンタ機能、ファクス機能、スキャナ機能及びコピー機能のうちのいずれの種類の画像出力機能に対応する設定ファイルかを判別する。また、判別手段３は、記憶媒体１３に設定ファイルが格納されていないと判断した場合は、表示制御手段７に対して、その旨を表示部８に表示させる指令を出力する。
設定情報取得手段４は、判別手段３によって画像出力機能の種類が判別された設定ファイルから設定情報を取得する。
【００２５】
画像データ出力手段５は、設定情報取得手段４によって取得された設定情報に対応する画像データを該設定情報を反映して出力する。
具体的には、画像出力機能がプリンタ機能の場合は、記憶媒体１３に前記設定情報に対応する画像ファイルがあるか否かを判断し、画像ファイルがあると判断すると、記憶媒体１３から対応する画像ファイルを取得して、該画像ファイルの画像データを設定情報を含んで印刷手段１０に出力する。これにより、設定情報を反映した印刷処理が行われる。また、記憶媒体１３に前記設定情報に対応する画像ファイルがないと判断した場合は、表示制御手段７に対して、その旨を表示部８に表示させる指令を出力する。
【００２６】
画像出力機能がファクス機能の場合は、記憶媒体１３に前記設定情報に対応する画像ファイルがあるか否かを判断し、画像ファイルがあると判断すると、記憶媒体１３から対応する画像ファイルを取得して、該画像ファイルの画像データを設定情報を含んで送信手段１１のファクス送信部（図示せず）に出力する。これにより、設定情報を反映したファクス送信処理が行われる。また、記憶媒体１３に前記設定情報に対応する画像ファイルがないと判断した場合は、指定された原稿場所から原稿の画像データを読み込み、該画像データを設定情報を含んで送信手段１１のファクス送信部（図示せず）に出力する。これにより、設定情報を反映したファクス送信処理が行われる。
【００２７】
画像出力機能がスキャナ機能の場合は、原稿読取手段９によって設定ファイルの設定情報で指定された原稿場所から原稿の画像データを設定情報の読込方式に基づいて読み込むとともに、該設定情報で設定された読込データの出力先が記憶媒体１３であるか否かを判断し、該出力先が記憶媒体１３である場合は、画像データを記憶媒体１３に出力して保存する。このとき、記憶媒体１３への保存が正常に行われなかった場合は、表示制御手段７に対して、その旨を表示部８に表示させる指令を出力する。また、設定情報のデータ出力先が記憶媒体１３でないと判断した場合は、画像データを送信手段１１のＰＣ送信部又はＥメール送信部（共に図示せず）に出力する。これにより、設定情報を反映したＰＣ送信処理又はＥメール送信処理が行われる。
【００２８】
画像出力機能がコピー機能の場合は、設定ファイルの設定情報で指定された原稿場所から原稿の画像データを読み込むとともに、読み込んだ画像データを設定情報を含んで印刷手段１０に出力する。これにより、設定情報を反映したコピー印刷処理が行われる。
【００２９】
ファイル消去手段６は、プリンタ機能又はファクス機能で、記憶媒体１３から画像ファイルを取得する場合に、設定ファイルの設定情報に消去設定があると、画像データ出力手段５が画像データを出力した後、記憶手段１２に記憶された設定ファイル及び画像ファイルを消去する。また、スキャナ機能、コピー機能又はファクス機能で、記憶媒体１３から画像ファイルを取得しない場合に、設定ファイルの設定情報に消去設定があると、画像データ出力手段５が画像データを出力した後、記憶手段１２に記憶された設定ファイルを消去する。なお、スキャナ機能、コピー機能又はファクス機能で、指定の原稿場所から読み込まれた画像データは、画像データ出力手段５が画像データを出力した後、画像形成装置１に搭載された公知のデータ消去手段により記憶手段１２から消去されるようになっている。
【００３０】
次に、図２〜図６を参照して、上記のように構成された画像形成装置の動作の一例を説明する。図２は画像形成装置の基本動作の一例を示すフローチャート図、図３はプリンタ機能の動作の一例を示すフローチャート図、図４はファクス機能の動作の一例を示すフローチャート図、図５はスキャナ機能の動作の一例を示すフローチャート図、図６はコピー機能の動作の一例を示すフローチャート図である。
【００３１】
まず、図２を参照して、画像形成装置の基本動作を説明する。ここで、ステップＳ１〜ステップＳ３及びステップＳ５は判別手段、ステップＳ４は設定情報取得手段４、画像データ出力手段５、及びファイル消去手段６にそれぞれ対応する。
ステップＳ１で、装着手段２に記憶媒体１３が装着されると、ステップＳ２に移行し、ステップＳ２では、記憶媒体１３に設定ファイルが格納されているか否かを判断し、格納されていると判断した場合に、ステップＳ３に移行する。
【００３２】
ステップＳ３では、設定ファイルがプリンタ機能、ファクス機能、スキャナ機能及びコピー機能のうちのいずれの種類の画像出力機能に対応する設定ファイルかを判別して、ステップＳ４に移行し、ステップＳ４で、判別された画像出力処理（プリンタ機能（図３参照）、ファクス機能（図４参照）、スキャナ機能（図５参照）及びコピー機能（図６参照）のうちのいずれかの種類の画像出力処理）を実行する。
ステップＳ２で、記憶媒体１３に設定ファイルが格納されていないと判断した場合は、ステップＳ５に移行して、表示制御手段７に対して、その旨を表示部８に表示させる指令を出力する。
【００３３】
次に、図３を参照して、プリンタ機能の動作の一例を説明する。ここで、ステップＳ１１は設定情報取得手段４、ステップＳ１２〜ステップＳ１４及びステップＳ１７は画像データ出力手段５、ステップＳ１５及びステップＳ１６はファイル消去手段６にそれぞれ対応する。
ステップＳ１１では、装着手段２に装着された記憶媒体１３から設定ファイルを読み込んで設定情報を取得し、ステップＳ１２に移行する。
ステップＳ１２では、記憶媒体１３に前記設定情報に対応する画像ファイルがあるか否かを判断し、画像ファイルがあると判断すると、ステップＳ１３で、記憶媒体１３から対応する画像ファイルを取得し、ステップＳ１４に移行する。
【００３４】
ステップＳ１４では、取得した画像ファイルの画像データを設定情報を含んで印刷手段１０に出力して、ステップＳ１５に移行する。
ステップＳ１５では、設定ファイルの設定情報に消去設定があるか否かが判断され、消去設定がある場合は、ステップＳ１６に移行して、記憶手段１２に記憶された設定ファイル及び画像ファイルを消去する。
また、ステップＳ１２で、記憶媒体１３に前記設定情報に対応する画像ファイルがないと判断した場合は、ステップＳ１７に移行して、表示制御手段７に対して、その旨を表示部８に表示させる指令を出力する。
【００３５】
次に、図４を参照して、ファクス機能の動作の一例を説明する。ここで、ステップＳ２１は設定情報取得手段４、ステップＳ２２〜ステップＳ２４、ステップＳ２７及びステップＳ２８は画像データ出力手段５、ステップＳ２５、ステップＳ２６、ステップＳ２９及びステップＳ３０はファイル消去手段６にそれぞれ対応する。
【００３６】
ステップＳ２１では、装着手段２に装着された記憶媒体１３から設定ファイルを読み込んで設定情報を取得し、ステップＳ２２に移行する。
ステップＳ２２では、記憶媒体１３に前記設定情報に対応する画像ファイルがあるか否かを判断し、画像ファイルがあると判断すると、ステップＳ２３で、記憶媒体１３から対応する画像ファイルを取得し、ステップＳ２４に移行する。
ステップＳ２４では、取得した画像ファイルの画像データを設定情報を含んで送信手段１１のファクス送信部（図示せず）に出力して、ステップＳ２５に移行する。
【００３７】
ステップＳ２５では、設定ファイルの設定情報に消去設定があるか否かが判断され、消去設定がある場合は、ステップＳ２６に移行して、記憶手段１２に記憶された設定ファイル及び画像ファイルを消去する。
また、ステップＳ２２で、記憶媒体１３に前記設定情報に対応する画像ファイルがないと判断した場合は、ステップＳ２７に移行して、指定された原稿場所から原稿の画像データを読み込み、ステップＳ２８で、該画像データを設定情報を含んで送信手段１１のファクス送信部（図示せず）に出力し、ステップＳ２９に移行する。
ステップＳ２９では、設定ファイルの設定情報に消去設定があるか否かが判断され、消去設定がある場合は、ステップＳ３０に移行して、記憶手段１２に記憶された設定ファイルを消去する。
【００３８】
次に、図５を参照して、スキャナ機能の動作の一例を説明する。ここで、ステップＳ３１は設定情報取得手段４、ステップＳ３２〜ステップＳ３５、ステップＳ３８及びステップＳ３９は画像データ出力手段５、ステップＳ３６及びステップＳ３７はファイル消去手段６にそれぞれ対応する。
【００３９】
ステップＳ３１では、装着手段２に装着された記憶媒体１３から設定ファイルを読み込んで設定情報を取得して、ステップＳ３２に移行し、ステップＳ３２では、原稿読取手段９によって設定ファイルの設定情報で指定された原稿場所から原稿の画像データを設定情報の読込方式に基づいて読み込み、ステップＳ３３に移行する。
ステップＳ３３では、設定情報で設定された読込データの出力先が記憶媒体１３であるか否かを判断し、該出力先が記憶媒体１３である場合は、ステップＳ３４に移行して、画像データを記憶媒体１３に出力して保存し、ステップＳ３５に移行する。
【００４０】
ステップＳ３５では、ステップＳ３４での記憶媒体１３への保存が正常に行われたか否かを判断し、保存が正常に行われなかった場合は、ステップＳ３８に移行して、表示制御手段７に対して、その旨を表示部８に表示させる指令を出力し、保存が正常に行われた場合は、ステップＳ３６に移行する。
また、ステップＳ３３で、設定情報のデータ出力先が記憶媒体１３でないと判断した場合は、画像データを送信手段１１のＰＣ送信部又はＥメール送信部（共に図示せず）に出力し、ステップＳ３６に移行する。
ステップＳ３６では、設定ファイルの設定情報に消去設定があるか否かを判断し、消去設定がある場合は、ステップＳ３７に移行して、記憶手段１２に記憶された設定ファイルを消去する。
【００４１】
次に、図６を参照して、コピー機能の動作の一例を説明する。ここで、ステップＳ４１は設定情報取得手段４、ステップＳ４２及びステップＳ４３は画像データ出力手段５、ステップＳ４４及びステップＳ４５はファイル消去手段６にそれぞれ対応する。
ステップＳ４１では、装着手段２に装着された記憶媒体１３から設定ファイルを読み込んで設定情報を取得し、ステップＳ４２に移行する。
【００４２】
ステップＳ４２では、設定ファイルの設定情報で指定された原稿場所から原稿の画像データを読み込み、ステップＳ４３で、読み込んだ画像データを設定情報を含んで印刷手段１０に出力し、ステップＳ４４に移行する。
ステップＳ４４では、設定ファイルの設定情報に消去設定があるか否かを判断し、消去設定がある場合は、ステップＳ４５に移行して、記憶手段１２に記憶された設定ファイルを消去する。
【００４３】
上記の説明から明らかなように、この実施の形態では、ユーザが利用するプリンタ機能、ファクス機能、スキャナ機能及びコピー機能ごとに設定ファイルを格納した記憶媒体１３を画像形成装置１の装着手段２に装着するだけで、プリンタ機能、ファクス機能、スキャナ機能及びコピー機能ごとに設定ファイルの設定情報を反映した画像データを出力することができるので、複数種の画像出力処理をネットワークを介することなく、容易に行うことができる。
また、画像データ出力手段５による画像データの出力後に、設定ファイル、又は設定ファイル及び画像ファイルが記憶手段１２から消去されるため、セキュリティを強化することができる。
【００４４】
次に、画像出力処理プログラムについて説明する。
上記の実施形態におけるコンピュータ（画像形成装置など）の画像出力処理機能は、記憶手段（例えば、ＲＯＭやＨＤＤなど）に記憶された画像出力処理プログラムにより実現される。
画像出力処理プログラムは、コンピュータの制御手段（ＣＰＵなど）に読み込まれることにより、コンピュータの構成各部に指令を送り、画像出力処理、たとえば、記憶媒体１３に格納された設定ファイルがどの種類の画像出力機能に対応する設定ファイルかを判別する判別処理と、設定ファイルから前記設定情報を取得する設定情報取得処理、画像データを設定情報を反映して出力する画像データ出力処理などを行わせる。
これらの画像出力処理は、ソフトウェアである画像出力処理プログラムとハードウエア資源であるコンピュータ（画像形成装置など）の各構成部とが協働することにより実現される。
【００４５】
なお、本発明の画像出力処理を実現するための画像出力処理プログラムは、コンピュータのＲＯＭやハードディスクなどに記憶される他、コンピュータ読み取り可能な記録媒体、たとえば、外部記憶装置及び可搬記録媒体等に格納することができる。
外部記憶装置とは、ＣＤ−ＲＯＭ等の記憶媒体を内蔵し、画像形成装置等に外部接続されるメモリ増設装置を例示することができる。一方、可搬記録媒体とは、記録媒体駆動装置（ドライブ装置）に装着でき、かつ、持ち運び可能な記録媒体であって、たとえば、フレキシブルディスク，メモリカード，光磁気ディスク等を例示することができる。
【００４６】
そして、記録媒体に記録されたプログラムは、コンピュータのＲＡＭ等にロードされて、ＣＰＵにより実行される。この実行により、上述した本実施形態の画像出力処理機能が実現される。
さらに、コンピュータで本発明の画像出力処理プログラムをロードする場合、他のコンピュータで保有された画像出力処理プログラムを、通信回線を利用して自己のコンピュータの有するＲＡＭや外部記憶装置にダウンロードすることもできる。このダウンロードされた画像出力処理プログラムも、ＣＰＵにより実行され、本実施形態の画像出力処理機能を実現する。
【００４７】
なお、本発明の記憶媒体、装着手段、判別手段、設定情報取得手段、画像データ出力手段、印刷手段、送信手段及びファイル消去手段等の構成は、上記実施の形態に例示したものに限定されるものではなく、本発明の要旨を逸脱しない範囲において適宜変更可能である。
例えば、上記実施の形態では、装着手段２から記憶媒体１３を取り外すタイミングについては触れていないが、例えば、スキャナ機能で画像データ出力手段５が記憶媒体１３に画像データを出力する場合を除いて、装着手段２から記憶媒体１３を取り外した後に、画像データ出力手段５が画像データを出力するようにしてもよい。
このようにすると、ユーザが装着手段２に装着した記憶媒体１３を取り外すのを忘れるのを防止することができる。
【図面の簡単な説明】
【００４８】
【図１】本発明の実施の形態の一例である画像形成装置の構成を示すブロック図である。
【図２】画像形成装置の基本動作の一例を示すフローチャート図である。
【図３】プリンタ機能の動作の一例を示すフローチャート図である。
【図４】ファクス機能の動作の一例を示すフローチャート図である。
【図５】スキャナ機能の動作の一例を示すフローチャート図である。
【図６】コピー機能の動作の一例を示すフローチャート図である。
【符号の説明】
【００４９】
１  画像形成装置
２  装着手段
３  判別手段
４  設定情報取得手段
５  画像データ出力手段
６  ファイル消去手段
１０  印刷手段
１１  送信手段
１３  記憶媒体
【図１】
2007166480.tif 000003
【図２】
2007166480.tif 000004
【図３】
2007166480.tif 000005
【図４】
2007166480.tif 000006
【図５】
2007166480.tif 000007
【図６】
2007166480.tif 000008